(57)【要約】【課題】  アクセス回線を自動的に調整する通信制御システムを提供すること。【解決手段】  端末装置にネットワークを介して接続され、当該端末装置からのアクセスに応じて当該端末装置との間に確立される通信回線の状態を設定する回線状態設定手段を備えた通信制御システムにおいて、端末装置との通信回線の状態を表す回線状態情報を当該端末装置から収集する回線状態情報収集手段と、回線状態に応じて適用すべき回線設定内容が定義された回線設定リストを記憶する回線設定リスト記憶手段と、を備え、回線状態設定手段が、収集した回線状態情報と回線設定リストとに基づいて、端末装置との通信回線の状態を設定する機能を有する。【選択図】図３
2005286764.tif 000002
【特許請求の範囲】
【請求項１】
端末装置にネットワークを介して接続され、当該端末装置からのアクセスに応じて当該端末装置との間に確立される通信回線の回線状態を設定する回線状態設定手段を備えた通信制御システムにおいて、
前記端末装置との通信時の回線状態を表す回線状態情報を当該端末装置から収集する回線状態情報収集手段と、
回線状態に応じて適用すべき回線設定内容が定義された回線設定リストを記憶する回線設定リスト記憶手段と、を備え、
前記回線状態設定手段が、前記収集した回線状態情報と前記回線設定リストとに基づいて、端末装置との通信回線の回線状態を設定する機能を有する、
ことを特徴とする通信制御システム。
【請求項２】
端末装置にネットワークを介して接続され、当該端末装置からのアクセスに応じて当該端末装置との間に確立される通信回線の回線状態を設定する回線状態設定手段を備えた通信制御システムにおいて、
前記端末装置との通信時の回線状態を表す回線状態情報を当該端末装置から収集する回線状態情報収集手段と、
前記収集した回線状態情報から通信回線の回線状態を判定する基準となる回線状態判定基準を記憶する回線状態判定基準記憶手段と、
前記収集した回線状態情報と前記回線状態判定基準とに基づいて通信回線の回線状態を判定する回線状態判定手段と、
この通信回線状態の判定結果に応じて適用すべき回線設定内容が定義された回線設定リストを記憶する回線設定リスト記憶手段と、を備え、
前記回線状態設定手段が、前記回線状態の判定結果と前記回線設定リストとに基づいて、端末装置との通信回線の回線状態を設定する機能を有する、
ことを特徴とする通信制御システム。
【請求項３】
前記回線状態収集手段が、端末装置に現在設定されている回線設定値と実際の回線状態を表す回線状態値とを収集する機能を有すると共に、
前記回線状態判定手段が、前記収集した回線状態値と前記回線状態判断基準とに基づいて通信回線の回線状態を判定する機能を有し、
前記回線設定リスト記憶手段が、前記回線状態収集手段にて収集された前記端末装置に現在設定されている回線設定値と、前記回線状態判定手段による判定結果と、に基づいて適用すべき回線設定内容が定義された回線設定リストを記憶している、ことを特徴とする請求項２記載の通信制御システム。
【請求項４】
端末装置との通信回線のうち回線状態を設定する対象となる回線を特定する回線指定情報を記憶する回線指定情報記憶手段を備え、
この回線指定情報に基づいて通信制御システム自体が作動する、ことを特徴とする請求項２又は３記載の通信制御システム。
【請求項５】
通信制御システムの前記各手段による回線状態設定処理の実行タイミングを指定する実行タイミング指定情報を記憶する実行タイミング指定情報記憶手段を備えると共に、
この実行タイミング指定情報に基づいて通信制御システム自体が作動する、ことを特徴とする請求項２，３又は４記載の通信制御システム。
【請求項６】
通信制御システムの前記各手段による回線状態設定処理を制限する条件を表す自動設定処理制限情報を記憶する自動設定処理制限情報記憶手段を備えると共に、
この自動設定制限情報に基づいて回線状態設定処理が制限される状態になったときに回線状態の設定内容を表す回線設定情報の外部入力を受け付ける回線設定情報受付手段を備えると共に、
前記回線状態設定手段が、前記外部入力による回線設定情報に基づいて端末装置との通信回線の回線状態を設定する機能を有する、ことを特徴とする請求項２，３，４又は５記載の通信制御システム。
【請求項７】
端末装置にネットワークを介して接続された通信制御システムにて、前記端末装置からのアクセスに応じて当該端末装置との間に確立される通信回線の回線状態を設定する通信制御方法において、
前記端末装置との通信時の回線状態を表す回線状態情報を当該端末装置から収集する回線状態情報収集工程と、
この収集した回線状態情報と、当該回線状態情報から通信回線の回線状態を判定する基準となる予め記憶された回線状態判定基準と、に基づいて通信回線の回線状態を判定する回線状態判定工程と、
この回線状態の判定結果と、当該判定結果に応じて適用すべき回線設定内容が予め定義されて記憶された回線設定リストと、に基づいて端末装置との通信回線の回線状態を設定する回線状態設定工程と、
を有することを特徴とする通信制御方法。
【請求項８】
端末装置にネットワークを介して接続された通信制御装置に、
前記端末装置との通信時の回線状態を表す回線状態情報を当該端末装置から収集する回線状態情報収集手段と、
前記収集した回線状態情報から通信回線の回線状態を判定する基準となる回線状態判定基準を記憶する回線状態判定基準記憶手段と、
前記収集した回線状態情報と前記回線状態判定基準とに基づいて通信回線の回線状態を判定する回線状態判定手段と、
この通信回線状態の判定結果に応じて適用すべき回線設定内容が定義された回線設定リストを記憶する回線設定リスト記憶手段と、
前記回線状態の判定結果と前記回線設定リストとに基づいて、前記端末装置からのアクセスに応じて当該端末装置との間に確立される通信回線の回線状態を設定する回線状態設定手段と、
を実現するための通信制御用プログラム。
【発明の詳細な説明】
【技術分野】
【０００１】
本発明は、通信制御システムにかかり、特に、加入者アクセスネットワークにおいて加入者毎に回線速度などの回線接続状況を最適化する通信制御システムに関する。また、その方法及びプログラムに関する。
【背景技術】
【０００２】
従来のＡＤＳＬに代表されるアクセス回線においては、各事業者における回線速度の調整は以下の作業を必要としていた。
（１）回線レートの初期設定
新規増設回線に対して所定のデフォルト値をアクセス装置に対して直接、あるいは当該装置の監視制御用の端末を介して、オペレータが個々の機器に対して設定を行なう。監視制御用の端末を使用する場合には、それが持つ機能の範疇でパッケージ単位あるいは装置単位での一括設定を行なう。
（２）回線レートの状態確認
エンドユーザからのクレームなどを契機としてアクセス装置の管理システムなど監視制御用の端末を用いて回線の状態をオペレータが確認する。
（３）回線パラメータの再設定を行う
回線状態を確認し、それが所期の状態になっていなければ、回線の状態を決定するパラメータをオペレータが選択し再設定を行う。
（４）上記（２）と（３）を期待する回線状態が得られるまで繰り返す。
【０００３】
このように、従来では、回線の設定がオペレータの手作業で行われていた。一方で、回線の通信設定を、通信する機器同士で自動的に調整するシステムも開発されており、下記特許文献１に開示されている。この特許文献１に開示されているシステムは、ＦＡＸ機器に関するものであり、通信エラーが発生したときに通信相手となるＦＡＸ機器の種別などに応じて通信速度を変更し、通信可能な状態に設定する、というものである。
【０００４】
【特許文献１】特開昭６３−３１４０６５号公報
【発明の開示】
【発明が解決しようとする課題】
【０００５】
しかしながら、上述した従来の回線調整方法では、次のような問題がある。
【０００６】
第１の問題点は、各回線が初期設定された後に、回線状態を再設定する契機が、各加入者回線のユーザからのクレームに依存してしまう点である。すなわち、クレームが来ない限りは、どんなに回線状態が悪くとも、放置され再設定の機会が得られない。それを回避するためには、初期設定された全回線ひとつひとつについて動的に変わる回線状態を、多くのオペレータを使って監視させ続けなければならない。
【０００７】
第２の問題点は、システム規模が拡大するにつれ、このような回線調整の作業工数が増大しオペレータのコストが多大になってしまうという点である。すなわち、回線調整作業にはひとつひとつの加入者回線に対する手動による状態の確認と手動による再設定が必要であるが、回線調整が必要な回線数は加入者数に比例して増大するため、作業工数も比例して大きくなる。
【０００８】
第３の問題点は、回線設定の定型化、容易化ができないという点である。つまり、回線調整自身が個々のオペレータの手動による設定に委ねられるため、設定値の選択や調整の収束状況が複数のオペレータ個々の裁量に依存することになる。これでは、均質で高品質なサービスが提供できない。さらには、手動で行なう限りは、個々のオペレータの操作・判断ミスを介在させる余地を許してしまう。
【０００９】
さらに、第４の問題点としては、仮にこのようなシステムを事業者が構築する場合、零細なアクセス事業者においては投資効果が十分に得られない場合があることがあげられる。
【００１０】
また、特許文献１に示すように、ＦＡＸ機器の回線調整を自動的に行うシステムが検討されているものの、上記例では通信相手となる機器に対応した通信速度を設定するだけであって、必ずしも最適な通信状況を実現できているとは限らない。すなわち、通信エラーが生じないよう、通信を実現するために自動的に通信状況を設定しているだけであって、最適な通信を実現することは困難である。
【００１１】
このことから、本発明は、より効率のよい通信状況となるようアクセス回線を自動的に調整することができる通信制御システムを提供すること、をその目的とする。
【課題を解決するための手段】
【００１２】
そこで、本発明では、端末装置にネットワークを介して接続され、当該端末装置からのアクセスに応じて当該端末装置との間に確立される通信回線の回線状態を設定する回線状態設定手段を備えた通信制御システムにおいて、
端末装置との通信時の回線状態を表す回線状態情報を当該端末装置から収集する回線状態情報収集手段と、
回線状態に応じて適用すべき回線設定内容が定義された回線設定リストを記憶する回線設定リスト記憶手段と、を備え、
回線状態設定手段が、収集した回線状態情報と回線設定リストとに基づいて、端末装置との通信回線の回線状態を設定する機能を有する、という構成を採っている。
【００１３】
また、同様に、端末装置にネットワークを介して接続され、当該端末装置からのアクセスに応じて当該端末装置との間に確立される通信回線の回線状態を設定する回線状態設定手段を備えた通信制御システムにおいて、
端末装置との通信時の回線状態を表す回線状態情報を当該端末装置から収集する回線状態情報収集手段と、
収集した回線状態情報から通信回線の回線状態を判定する基準となる回線状態判定基準を記憶する回線状態判定基準記憶手段と、
収集した回線状態情報と回線状態判定基準とに基づいて通信回線の回線状態を判定する回線状態判定手段と、
この通信回線状態の判定結果に応じて適用すべき回線設定内容が定義された回線設定リストを記憶する回線設定リスト記憶手段と、を備え、
回線状態設定手段が、回線状態の判定結果と前記回線設定リストとに基づいて、端末装置との通信回線の回線状態を設定する機能を有する、という構成を採っている。
【００１４】
このような構成にすることにより、まず、接続事業者に対してアクセスして回線を確立するユーザ端末に対して、通信制御装置にて初期の回線設定が行われる。その後、この回線状態を表す情報が通信制御装置にて収集され、回線状態が一定のレベルをクリアしているか否かなどの判定が行われる。そして、満たない場合には、そのときの状態に適合した調整設定内容を読み出して、かかる内容情報に基づいて回線状態を再設定する。従って、アクセス事業者側から能動的、かつ、自動的に、回線状態の改善及び最適化を図ることができるため、利用者の通信回線環境の迅速な適正化を図ることができ、当該利用者の利便性の向上を図ることができる。また、同時に、事業者の作業負担の軽減も図ることができる。
【００１５】
また、上記構成において、回線状態収集手段が、端末装置に現在設定されている回線設定値と実際の回線状態を表す回線状態値とを収集する機能を有すると共に、
回線状態判定手段が、収集した回線状態値と回線状態判断基準とに基づいて通信回線の回線状態を判定する機能を有し、
回線設定リスト記憶手段が、回線状態収集手段にて収集された端末装置に現在設定されている回線設定値と、回線状態判定手段による判定結果と、に基づいて適用すべき回線設定内容が定義された回線設定リストを記憶している、という構成にすると望ましい。
【００１６】
これにより、回線状態の再設定時に、より実際の回線状態に応じた調整を行うことができ、当該回線状況を迅速にかつ的確に最適化することができる。
【００１７】
また、端末装置との通信回線のうち回線状態を設定する対象となる回線を特定する回線指定情報を記憶する回線指定情報記憶手段を備え、
この回線指定情報に基づいて通信制御システム自体が作動する、という構成にすると望ましい。
【００１８】
さらには、通信制御システムの各手段による回線状態設定処理の実行タイミングを指定する実行タイミング指定情報を記憶する実行タイミング指定情報記憶手段を備えると共に、
この実行タイミング指定情報に基づいて通信制御システム自体が作動する、という構成にすると望ましい。
【００１９】
これにより、複数の回線状況を設定する場合であっても、その設定対象を選択制限することができ、また、各回線に対する設定処理を分散させて実行することができるため、通信制御装置の負担を軽減することができる。
【００２０】
また、通信制御システムの各手段による回線状態設定処理を制限する条件を表す自動設定処理制限情報を記憶する自動設定処理制限情報記憶手段を備えると共に、
この自動設定制限情報に基づいて回線状態設定処理が制限される状態になったときに回線状態の設定内容を表す回線設定情報の外部入力を受け付ける回線設定情報受付手段を備えると共に、
回線状態設定手段が、外部入力による回線設定情報に基づいて端末装置との通信回線の回線状態を設定する機能を有する、という構成にしてもよい。
【００２１】
これにより、予め定められた回数や時間内に最適化されない場合には、事業者側のオペレータが手動で回線状態を設定することができるため、あらゆる回線に対応することが可能となる。
【００２２】
また、本発明では、端末装置にネットワークを介して接続された通信制御システムにて、端末装置からのアクセスに応じて当該端末装置との間に確立される通信回線の回線状態を設定する通信制御方法において、
端末装置との通信時の回線状態を表す回線状態情報を当該端末装置から収集する回線状態情報収集工程と、
この収集した回線状態情報と、当該回線状態情報から通信回線の回線状態を判定する基準となる予め記憶された回線状態判定基準と、に基づいて通信回線の回線状態を判定する回線状態判定工程と、
この回線状態の判定結果と、当該判定結果に応じて適用すべき回線設定内容が予め定義されて記憶された回線設定リストと、に基づいて端末装置との通信回線の回線状態を設定する回線状態設定工程と、
を有する通信制御方法を提供している。
【００２３】
さらに、本発明では、端末装置にネットワークを介して接続された通信制御装置に、
端末装置との通信時の回線状態を表す回線状態情報を当該端末装置から収集する回線状態情報収集手段と、
収集した回線状態情報から通信回線の回線状態を判定する基準となる回線状態判定基準を記憶する回線状態判定基準記憶手段と、
収集した回線状態情報と回線状態判定基準とに基づいて通信回線の回線状態を判定する回線状態判定手段と、
この通信回線状態の判定結果に応じて適用すべき回線設定内容が定義された回線設定リストを記憶する回線設定リスト記憶手段と、
回線状態の判定結果と回線設定リストとに基づいて、前記端末装置からのアクセスに応じて当該端末装置との間に確立される通信回線の回線状態を設定する回線状態設定手段と、
を実現するための通信制御用プログラムを提供している。
【００２４】
このような構成にしても、上述同様に作用し、上記目的を達成することができる。
【発明の効果】
【００２５】
本発明は、以上のように構成され機能するので、これによると、アクセス事業者側から能動的、かつ、自動的に、回線状態の改善及び最適化を図ることができるため、利用者の通信回線環境の迅速な適正化を図ることができ、当該利用者の利便性の向上を図ることができる。また、同時に、事業者の作業負担の軽減も図ることができる。
【発明を実施するための最良の形態】
【００２６】
本発明は、ＡＤＳＬなどのユーザ端末とインターネット接続業者サーバとの間に確立されるアクセス回線の設定を、当該接続業者サーバにて、自動的、かつ、迅速に最適化する、という通信制御システムである。以下では、通信制御システムが接続業者サーバに搭載されていることとして説明する。なお、本発明である通信制御システムは、接続業者サーバに搭載されていることに限定されず、別装置にて構成されていてもよい。
【００２７】
なお、接続事業サーバをプロバイダサーバ１と呼び、これに対してアクセスして回線を確立する通信装置をユーザ端末Ｕとして説明する。また、通信制御システムは自己とユーザ端末Ｕに対して回線状態の設定を行うこととするが、その設定対象であるユーザ端末Ｕにはもちろんアクセスの際に用いられる通信装置も含まれる。
【実施例１】
【００２８】
以下、本発明の第１の実施例を、図１乃至図４を参照して説明する。図１は、本発明の周辺構成を示すブロック図である。図２は、本発明の構成を示す機能ブロック図である。図３は、本発明の構成及び動作を示す説明図である。図４は、本発明の動作を示すフローチャートである。
【００２９】
〈構成〉
本発明である通信制御システムは、ユーザ端末Ｕにて電話回線Ｎａや光回線などを介してアクセスされ、インターネット網Ｎへの通信回線を確立するプロバイダサーバ１内に構築される。そして、ユーザ端末Ｕとの通信回線の状態を設定して、当該回線状態の最適化を図るよう作動するものである。なお、図１に示すように、プロバイダサーバ１との接続が確立されたユーザ端末Ｕは、インターネット網Ｎ上の種々のウェブサーバＷや他のコンピュータにアクセスすることができる。
【００３０】
〈プロバイダサーバ〉
次に、図２を参照してプロバイダサーバ１の構成について詳述する。このプロバイダサーバ１は、ユーザ端末ＵやウェブサーバＷと通信を実行する通信部２と、演算処理装置であるＣＰＵ３と、情報記憶装置であるハードディスク４（ＨＤ）やＲＡＭ，ＲＯＭと、を有する一般的なサーバコンピュータである。
【００３１】
そして、本発明の通信制御システムとして作動するプロバイダサーバ１のＣＰＵ３には、通信制御用プログラムが組み込まれることで以下に示す各処理部が構築されている。また、これに伴い、ハードディスク４などの記憶装置には以下に示すデータが記憶されている。これについて詳述する。
【００３２】
まず、ハードディスク４には、回線設定値情報記憶部４１、回線状態定義記憶部４２、回線設定リスト記憶部４３、調査対象回線記憶部４４が形成されており、各記憶部には以下に示す情報が、あらかじめ外部装置から入力され、あるいは、このプロバイダサーバ１に対して直接手動で入力されて記憶されている。
【００３３】
そして、回線設定値情報記憶部４１には初期設定における回線設定値情報が記憶されており、これは、回線設定に必要な複数のパラメータ値の組み合わせが複数含まれた情報である。また、回線状態定義記憶部４２には回線状態定義が記憶されており、この回線状態定義とは、実回線から得られた状態値がどのような場合に、正常に接続が確立している状態か、不安定な状態か、あるいは接続が確立できていない状態か、など、回線状態を判定するための基準が定義されている。すなわち、後述するように、ＣＰＵ３に構築された回線状態収集部３１にて収集した回線状態情報から通信回線の状態を判定する基準となる回線状態判定基準が記憶されている。
【００３４】
また、回線設定リスト記憶部４３（回線設定リスト記憶手段）には、回線設定の遷移パターンを定義した回線設定リストが記憶されている。換言すると、回線設定リストは、上記回線状態判定基準に基づいてある回線状態として判定された回線について、それに至らしめた直近の回線設定値と、その判定がなされた場合に次に適用すべき回線設定内容である回線設定値が定義された情報である。さらに具体的に説明すると、後述する回線状態収集部３１にて収集されたユーザ端末Ｕに現在設定されている回線設定値と、後述する回線状態判定部３２による判定結果と、に基づいて適用すべき回線設定内容が定義された回線設定リストである。
【００３５】
また、調査対象回線記憶部４４（回線指定情報記憶手段）には、回線調整の対象を含む調整対象回線リストが記憶されており、この調整回線リストで指定されたユーザ端末Ｕとプロバイダサーバ１との間に確立される回線が、後述するように回線調整の対象になる。
【００３６】
また、図示しないが、ハードディスク４や図示しないＲＯＭやＲＡＭなどのメモリには、後述するＣＰＵ３に構築される各処理部による回線状態設定処理の実行タイミングを指定する実行タイミング指定情報を記憶する実行タイミング指定情報記憶部（実行タイミング指定情報記憶手段）が形成されている。この実行タイミング指定情報とは、例えば、回線調整を行う時間間隔や、時刻などを指定する情報であり、後述する各処理部はかかる情報に基づいたタイミングで作動し、回線調整処理を実行することとなる。なお、この実行タイミング指定情報は、各処理部に組み込まれていてもよい。
【００３７】
さらに、上記同様に図示しないが、ＣＰＵ３の各処理部による回線状態設定処理を制限する条件を表す自動設定処理制限情報を記憶する自動設定処理制限情報記憶部（自動設定処理制限情報記憶手段）が形成されている。この自動設定処理制限情報は、例えば、自動で回線調整を行う回数や時間の上限を設定する情報であり、後述するように、この設定された上限を超えると自動的に回線調整処理が実行されず、回線設定値の手動入力が可能となる。
【００３８】
そして、ＣＰＵ３には、プロバイダサーバ１に対して挿入されたＣＤ−ＲＯＭなどの可搬媒体に記憶された通信制御用プログラムが組み込まれることで、回線状態収集部３１と、回線状態判定部３２と、回線設定値情報選択部３３と、自動回線設定部３４とが構築される。なお、通信制御用プログラムは、予めプロバイダサーバ１内に記憶されていてもよく、ネットワーク上の他のコンピュータからダウンロードされることにより組み込まれてもよい。
【００３９】
上記回線状態収集部３１（回線状態情報収集手段）は、ユーザ端末Ｕとの通信回線の状態を表す回線状態情報を当該ユーザ端末Ｕから収集する。なお、複数のユーザ端末Ｕがアクセスしている場合には、各回線毎に回線状態情報を収集し、後述するように、回線設定を行う。このとき、ユーザ端末Ｕの通信装置から回線状態を判定するために必要な情報を、実行タイミング指定情報に基づいて定期的に、あるいは、必要に応じて収集する。なお、調査対象回線リストを参照して回線設定対象となる回線のみの回線状態情報を収集してもよく、全ての回線の回線状態情報を収集するよう作動してもよい。そして、収集する回線状態情報とは、ユーザ端末Ｕに設定されている回線設定値と、現在の実際の回線状態を表す回線状態値とを収集する。具体的には、上り・下り、あるいは最大・最小の回線レート、ノイズマージン、リンクダウンの頻度、出力の減衰などの情報である。
【００４０】
また、回線状態判定部３２（回線状態判定手段）は、上記収集した回線状態情報と回線状態判定基準とに基づいて通信回線の状態を判定する。すなわち、回線状態情報から現在安定な回線状態か、あるいは、目標とした回線速度に達しているか、ということを回線状態判定基準に基づいて判定する。さらに具体的には、収集した回線状態情報から得られた前回設定された回線設定値情報と現状の回線状態とを参照して、どの回線状態定義に相当するかを判定する。なお、このとき、上記調査対象回線リストを参照して、回線設定対象となる回線のみの回線状態情報に基づいて、その通信回線の状態を判定する。
【００４１】
また、回線設定情報選択部３３（回線状態設定手段）は、上記回線状態判定部３２による回線状態の判定結果と回線設定リストとに基づいて、ユーザ端末Ｕとの通信回線の状態を設定する。具体的には、回線設定リストを参照して次に使用すべき回線設定内容である回線設定値を選択する。
【００４２】
そして、上記回線設定情報選択部３３にて選択された設定値に基づいて、自動回線設定部３４にて回線設定を行う。なお、この自動回線設定部３４は、初期設定時には、予め回線状態の設定値が記憶された回線設定値情報記憶部４１内の情報を使用して設定処理を行う。具体的には、ＡＤＳＬ回線に適用した場合には、上り・下り、あるいは最大・最小の回線レート、ノイズマージンが設定されることとなる。なお、この回線設定情報選択部３３と自動回線設定部３４とにより、回線状態設定手段が構成されることとなる。
【００４３】
但し、上記自動回線設定部３４による回線状態の設定は、上述したように、自動設定制限情報に基づいて回線状態設定処理が制限される状態になったときには行われず、代わりに、自動回線設定部３４は、外部から入力された回線設定情報に基づいてユーザ端末Ｕとの通信回線の状態を設定するよう作動する。従って、これに伴い、回線状態の設定内容を表す回線設定情報の外部入力を受け付ける回線設定情報受付部（回線設定情報受付手段）もＣＰＵ３に構築されている（図示せず）。なお、外部入力とは、例えば、プロバイダサーバ１に備えられたキーボードなどの入力装置や、ケーブルやネットワークを介して接続された他の機器あるいはコンピュータから入力されることを意味する。
【００４４】
〈動作〉
次に、上述した通信制御システムであるプロバイダサーバ１の動作を、図３乃至図４を参照して説明する。
【００４５】
まず、回線設定値Ｄ１、回線状態定義Ｄ２、回線設定リストＤ３の各情報は、初期情報としてあらかじめ入力されており、それぞれ回線設定値情報記憶部４１、回線状態定義記憶部４２、回線設定リスト記憶部４３にそれぞれ記憶されている（ステップＳ１）。また、調整対象回線リストＤ４も初期情報として入力装置から入力されて調整対象回線記憶部４４に記憶されている。但し、これらはいずれも実際には運用中に動的に変更・更新されてもよい。
【００４６】
次に、初期情報に従って、特に、回線設定値Ｄ１に基づいて、所定の回線に対して回線設定が自動回線設定部３４により行われる（ステップＳ２）。その後、回線状態収集部３１により各回線の回線状態情報が収集され（ステップＳ３、回線状態情報収集工程）、回線状態記憶部４５に保存される。
【００４７】
続いて、保存された各回線状態情報の内、調整対象回線リストＤ４に記憶されている回線調整対象となる回線について回線状態の判定処理を行う（ステップＳ４、回線状態判定工程）。具体的には、収集された回線状態情報と回線状態定義Ｄ２とを参照して、回線状態判定部３２がその回線の回線状態の判定を行う。この時、回線状態が所期の回線状態、例えば、安定な回線状態、あるいは目標とした回線速度に達していたと判定された場合には回線調整を終了する（ステップＳ５にて肯定判断）。
【００４８】
一方で、所期の回線状態に達していないと判定された場合には（ステップＳ５にて否定判断）、予め定められた回数だけ繰り返し設定処理が行われているかが調べられる（ステップＳ６）。そして、制限回数を超えていない場合には、判定されたそれぞれの回線状態に対して、回線設定値情報選択部３３が回線設定リストＤ３から次に設定すべき回線設定値情報を選択して（ステップＳ７）、この選択された設定値を用いて自動回線設定部３４にて再度回線設定が行われる（ステップＳ２、回線状態設定工程）。
【００４９】
その後は、再度、一定時間が経過すると回線状態が収集され、目標の回線状態になっているかが判定され、回線設定が繰り返される。なお、一定回数、あるいは、一定の時間が経過すると（ステップＳ６にて肯定判断）、手動設定モードに移行し（ステップＳ８）、オペレータによる手動での設定が受け付けられ、入力された設定値に基づいて回線調整が行われる。
【００５０】
このようにすることにより、ユーザのクレームや各回線からのアラームと言った再設定の契機を必要とせずに、回線の初期設定の後の、回線安定化・高速化を事業者側（プロバイダサーバ１側）から能動的に回線の最適化を図ることができる。従って、利用者の通信回線環境の迅速な適正化を図ることができ、当該利用者の利便性の向上を図ることができる。
【００５１】
また、回線設定、状態収集、状態判定と言った処理がすべて自動的に行われるため人手を介することなく回線調整作業が実施できるため、回線調整の作業工数削減が実現でき、事業者の作業負担の軽減を図ることができる。
【００５２】
また、従来の人手にまかせた方法では個々のオペレータの判断と操作が介在するため、調整の際の設定値や設定手順にどうしても個人差が出てしまうのに対して、本発明ではあらかじめ使用する設定値や設定手順が多くの経験を踏まえて定型化されるため、回線設定の容易化を図ることができ、回線調整業務の品質を均質かつ高品質化を図ることができる。
【００５３】
さらには、本発明のシステムによる通信制御業務を代行することにより、零細な事業者であっても最小限のコストで本システムにより利益が得られると共に、代行業務の提供側では、多くの零細業者からの収入が期待できる。
【００５４】
なお、上記実施例は、収集した回線状態が適切であるかどうかを判定した後に回線設定リストを参照して回線設定を行うシステムを説明したが、必ずしも回線状態の判定は必要ではない。すなわち、回線設定リストが、回線状態に応じて適用すべき回線設定内容が定義された情報として予め記憶されていることで、これにより、回線状態設定部３４が、収集した回線状態情報と回線設定リストとに基づいて、端末装置との通信回線の状態を設定する、という構成でもよい。このようにしても、回線の現在の状態に基づいて自動的に良好な回線状態となるよう回線の設定調整を行うことができる。
【産業上の利用可能性】
【００５５】
本発明である通信制御システムは、ユーザ端末Ｕのネットワーク接続を代行するプロバイダに設置される通信制御装置として利用することができ、産業上の利用可能性を有する。
【図面の簡単な説明】
【００５６】
【図１】本発明の周辺構成を示すブロック図である。
【図２】本発明の構成を示す機能ブロック図である。
【図３】本発明の構成及び動作を示す説明図である。
【図４】本発明の動作を示すフローチャートである。
【符号の説明】
【００５７】
１  プロバイダサーバ（通信制御システム）
３１  回線状態収集部（回線状態収集手段）
３２  回線状態判定部（回線状態判定手段）
３３  回線設定値情報選択部（回線状態設定手段）
３４  自動回線設定部（回線状態設定手段）
４１  回線設定値情報記憶部
４２  回線状態定義記憶部（回線状態判定基準記憶手段）
４３  回線設定リスト記憶部（回線設定リスト記憶手段）
４４  調査対象回線記憶部（回線指定情報記憶手段）
Ｄ１  回線設定値
Ｄ２  回線状態定義（回線状態判定基準）
Ｄ３  回線設定リスト
Ｄ４  調査対象回線リスト（回線指定情報）
Ｕ  ユーザ端末（端末装置）
Ｗ  ウェブサーバ
Ｎ  インターネット網
Ｎａ  電話回線等
【図１】
2005286764.tif 000003
【図２】
2005286764.tif 000004
【図３】
2005286764.tif 000005
【図４】
2005286764.tif 000006